(57)【要約】【課題】再生されていない番組であってもユーザが再生する可能性が高い番組は、再生される可能性が低い番組と比較して消去される順序が後回しになる電子機器を提供する。【解決手段】実施形態に係る電子機器は、記録した複数の番組の中で、より過去に記録した番組を消去する番組消去手段２１０と、前記番組消去手段２１０によって消去された領域に、所定の時間帯および所定の時間帯以外の両方の時間帯の新たな番組を記録する番組記録手段２２０とを備え、前記番組消去手段２１０は、所定の時間帯に記録した番組を、前記所定の時間帯以外に放送された最も先に記録した番組よりも遅く、前記所定の時間帯以外に放送された後で記録した番組よりも早く前記消去をする。【選択図】図９
2016038922.tif 000002
【特許請求の範囲】
【請求項１】
記録した複数の番組の中で、より過去に記録した番組を消去する番組消去手段と、
前記番組消去手段によって消去された領域に、所定の時間帯および所定の時間帯以外の両方の時間帯の新たな番組を記録する番組記録手段とを備え、
前記番組消去手段は、所定の時間帯に記録した番組を、前記所定の時間帯以外に放送された最も先に記録した番組よりも遅く、前記所定の時間帯以外に放送された後で記録した番組よりも早く前記消去をする電子機器。
【請求項２】
前記所定の時間帯は、前記番組記録手段が記録した時間帯の内、再生される番組の割合が、より高い番組が記録された時間帯である請求項１記載の電子機器。
【請求項３】
前記所定の時間帯は、前記番組記録手段が記録した時間帯の内、番組の再生される頻度がより高い番組が記録された時間帯であることを特徴とする請求項１記載の電子機器。
【請求項４】
前記所定の時間帯が曜日毎に定められ、
前記番組消去手段は、所定の曜日の所定の時間帯に記録した番組を、前記所定の曜日の前記所定の時間帯以外に放送された最も先に記録した番組よりも遅く、前記所定の曜日の前記所定の時間帯以外に放送された後で記録した番組よりも早く前記消去をする請求項２または３に記載の電子機器。
【請求項５】
前記番組記録手段によって番組が記録される記録部を更に備える請求項１〜４の何れか１項に記載の電子機器。
【請求項６】
通信部を更に備え、
前記通信部は、記録部を備えるデータサーバと通信し、
前記記録部は、前記番組記録手段によって番組が記録される請求項１〜５の何れか１項に記載の電子機器。
【請求項７】
放送信号を受信するチューナーを更に備える請求項１〜６の何れか１項に記載の電子機器。
【請求項８】
番組の再生映像を表示する表示装置を更に備える請求項１〜７の何れか１項に記載の電子機器。
【請求項９】
記録した複数の番組の中で、より過去に記録した番組を消去し、
消去された領域に、所定の時間帯および所定の時間帯以外の両方の時間帯の新たな番組を記録し、
所定の時間帯に記録した番組を、前記所定の時間帯以外に放送された最も先に記録した番組よりも遅く、前記所定の時間帯以外に放送された後で記録した番組よりも早く前記消去をする録画番組処理方法。
【発明の詳細な説明】
【技術分野】
【０００１】
実施形態は、録画番組を処理する電子機器および録画番組処理方法に関する。
【背景技術】
【０００２】
近年、同じ時間帯に放送される複数の番組を同時に記録する放送受信装置がある。上記の放送受信装置は、番組を記録する記録容量の残量が少なくなった場合、古い番組から順に消去して記録容量を確保する。番組を消去する際、記録された番組の再生回数または番組が再生された日時に基づいて、消去する番組の優先順位を決定し、優先度の低い番組から順に消去する技術が知られている。
【先行技術文献】
【特許文献】
【０００３】
【特許文献１】特開２００３−２１７２６４号公報
【発明の概要】
【発明が解決しようとする課題】
【０００４】
しかしながら、記録された番組の再生回数または番組が再生された日時に基づいて、消去する番組の優先順位を決定すると、再生されていない番組の優先順位が低くなり、番組が消去されて視聴できなくなるという問題がある。
【０００５】
実施形態が解決する課題は、上記事情に鑑み、再生されていない番組であってもユーザが再生する可能性が高い番組は、再生される可能性が低い番組と比較して消去される順序が後回しになる電子機器を提供することである。
【課題を解決するための手段】
【０００６】
実施形態に係る電子機器は、記録した複数の番組の中で、より過去に記録した番組を消去する番組消去手段と、前記番組消去手段によって消去された領域に、所定の時間帯および所定の時間帯以外の両方の時間帯の新たな番組を記録する番組記録手段とを備え、前記番組消去手段は、所定の時間帯に記録した番組を、前記所定の時間帯以外に放送された最も先に記録した番組よりも遅く、前記所定の時間帯以外に放送された後で記録した番組よりも早く前記消去をする。
【図面の簡単な説明】
【０００７】
【図１】図１は、第１の実施形態に係る電子機器の構成の一例を示した図。
【図２】図２は、タイムシフト録画をした場合の録画番組のリストの一例を示した図。
【図３】図３は、各時間帯における録画番組の再生回数を表したヒストグラムを示した図。
【図４】図４は、ある時点での第１録画番組群の一覧において再生実績のある番組欄に斜線を引いた様子を示した図。
【図５】図５は、ある時点での第２録画番組群の一覧を示した図。
【図６】図６は、別のある時点での第１録画番組群の一覧を示した図。
【図７】図７は、別のある時点での第２録画番組群の一覧を示した図。
【図８】図８は、第１の実施形態に係る電子機器が録画番組の消去をする際のフローチャートを示した図。
【図９】図９は、第２の実施形態に係る電子機器の構成の一例を示した図。
【発明を実施するための形態】
【０００８】
以下、図面を参照しながら第１および第２の実施形態に係る放送番組受信装置について説明する。
【０００９】
（第１の実施形態）  
図１は、第１の実施形態に係る電子機器１Ａの構成を示す図である。
【００１０】
図１に示すように、第１の実施形態に係る電子機器１Ａは、アンテナ１０１、入力端子１０２、チューナー部１０３、外部入力端子１０４〜１０７、信号処理部１０８、コントローラ１１０、ＯＳＤ信号生成部１１１、グラフィック処理部１１２、映像処理部１１３、音声処理部１１４、操作部１１５、受信部１１７、カードホルダ１１９、カードインターフェース１２０、明るさセンサー１２１、ＬＡＮ端子１２２、通信インターフェース１２３、ＵＳＢ端子１２４、ＵＳＢインターフェース１２５、ｉＬＩＮＫ端子１２６、ｉＬＩＮＫインターフェース１２７、ＨＤＭＩ（登録商標）端子１２８、ＨＤＭＩインターフェース１２９、映像表示部１４１、スピーカ１４２、記録部１５１、番組消去手段２１０、番組記録手段２２０および算出部３００を備えている。なお、番組消去手段２１０、番組記録手段２２０および算出部３００は、図１に示すようにコントローラ１１０に一体的に設けられてもよいし、独立にもうけられてもよい。
【００１１】
さらに、チューナー部１０３は、地上デジタルテレビジョン放送用のチューナー１０３１〜１０３８を備え、さらにＢＳ／ＣＳデジタルテレビジョン放送用のチューナーも備えている。地上デジタルテレビジョン放送用のチューナー１０３１〜１０３８により、地上デジタルテレビジョン放送に対応した番組表を受信し、表示することができる。また、ＢＳ／ＣＳデジタルテレビジョン放送用のチューナーにより、ＢＳ／ＣＳデジタルテレビジョン放送に対応した番組表を受信し、表示することもできる。
【００１２】
また、本実施形態では、図１に示すように、電子機器１Ａが、映像表示部１４１及びスピーカ１４２を備えるケースについて説明する。しかしながら、電子機器１Ａは、このような構成に限定されるものではない。例えば、電子機器１Ａは、映像表示部１４１及びスピーカ１４２を含まない構成であってもよい。つまり、電子機器１Ａは、ＨＤＭＩ等の接続手段を介して映像表示部１４１及びスピーカ１４２と接続する構成であってもよい。
【００１３】
また、本実施形態では、図１に示すように、電子機器１Ａが、記録部１５１を備えるケースについて説明する。しかしながら、電子機器１Ａは、このような構成に限定されるものではない。例えば、電子機器１Ａは、記録部１５１を含まない構成であってもよい。つまり、電子機器１Ａは、ＵＳＢ端子１２４及びＵＳＢインターフェース１２５などの接続手段を介して外部記憶装置（ＨＤＤなど）と接続する構成であってもよい。
【００１４】
また、本実施形態では、図１に示すように、電子機器１Ａが、複数のチューナーを備えるケースについて説明する。しかしながら、電子機器１Ａは、このような構成に限定されるものではない。例えば、電子機器１Ａが、複数のチューナーを含まない構成であってもよい。その場合、例えば、電子機器１Ａは、ＬＡＮ端子１２２を介してＩＰ（Internet Protocol）放送を受信し、ＩＰ放送の複数チャンネルに対応した番組を再生したり、録画したりする構成であってもよい。
【００１５】
以下、電子機器１Ａの詳細について説明する。
【００１６】
地上波放送受信用のアンテナ１０１で受信した地上デジタルテレビジョン放送信号は、入力端子１０２を介してチューナー１０３１〜１０３８に供給され、チューナー１０３１〜１０３８の地上デジタルテレビジョン放送用信号処理部で、所望のチャンネルのデジタルテレビジョン放送信号が選局される。そして、このチューナー１０３１〜１０３８で選局された複数のデジタルテレビジョン放送信号は、信号処理部に供給されて、デジタルの映像信号及び音声信号に復調される。
【００１７】
ここで、上記信号処理部１０８は、上記デジタルの映像信号及び音声信号に対して、選択的に所定のデジタル信号処理を施し、グラフィック処理部１１２及び音声処理部１１４に出力している。
【００１８】
また、上記信号処理部１０８には、例えば４つの入力端子１０４〜１０７が接続されている。これら入力端子１０４〜１０７は、それぞれ、アナログの映像信号及び音声信号を、電子機器１Ａの外部から入力可能とするものである。
【００１９】
そして、この信号処理部１０８は、各入力端子１０４〜１０７からそれぞれ供給されたアナログの映像信号及び音声信号を選択的にデジタル化し、このデジタル化された映像信号及び音声信号に対して所定のデジタル信号処理を施した後、グラフィック処理部１１２及び音声処理部１１４に出力している。
【００２０】
このうち、グラフィック処理部１１２は、信号処理部１０８から供給されるデジタルの映像信号に、ＯＳＤ（on screen display）信号生成モジュール１１１で生成されるＯＳＤ信号を重畳して出力する機能を有する。このグラフィック処理部１１２は、信号処理部１０８の出力映像信号と、ＯＳＤ信号生成部１１１の出力ＯＳＤ信号とを選択的に出力すること、また、両出力をそれぞれ画面の半分を構成するように組み合わせて出力することができる。
【００２１】
そして、グラフィック処理部１１２から出力されたデジタルの映像信号は、映像処理部１１３に供給される。映像処理部１１３により処理された映像信号は、映像表示部１４１に供給される。映像表示部１４１は、映像信号に基づく映像を表示する。
【００２２】
また、上記音声処理部１１４は、入力されたデジタルの音声信号を、スピーカ１４２で再生可能なフォーマットのアナログ音声信号に変換した後、スピーカ１４２に出力して音声再生させる。
【００２３】
ここで、この電子機器１Ａは、上記した各種の受信動作を含むその全ての動作をコントローラ１１０によって統括的に制御されている。コントローラ１１０は、ＣＰＵ（central processing unit）１１００等を備え、操作部１１５からの操作情報（各種指示）、または、リモートコントローラ１１６から送出され受信部１１７を介して受信した操作情報（各種指示）を受けて、その操作内容が反映されるように各モジュール等をそれぞれ制御する。なお、受信部１１７及びリモートコントローラ１１６は、電波等を用いる無線通信により操作信号の送受信を行うものであってもよいし、赤外線を利用するものであってもよい。
【００２４】
また、コントローラ１１０は、ＣＰＵ１１００が実行する制御プログラムを格納したＲＯＭ（read only memory）１１０１と、ＣＰＵ１１００に作業エリアを提供するＲＡＭ（random access memory）１１０２と、各種の設定情報及び制御情報等が格納される不揮発性メモリ１１０３とを備えている。
【００２５】
また、コントローラ１１０は、カードインターフェース１２０を介して、メモリカード１１８が装着可能なカードホルダ１１９に接続されている。これによって、コントローラ１１０は、カードホルダ１１９に装着されたメモリカード１１８と、カードインターフェース１２０を介して、情報伝送を行なうことができる。
【００２６】
また、上記コントローラ１１０は、通信インターフェース１２３を介してＬＡＮ端子１２２と接続されている。これにより、コントローラ１１０は、ＬＡＮ端子１２２に接続されたＬＡＮ対応機器と、通信インターフェース１２３を介して情報伝送を行なうことができる。この場合、コントローラ１１０は、ＤＨＣＰ（dynamic host configuration protocol）サーバ機能を有し、ＬＡＮ端子１２２に接続されたＬＡＮ対応機器にＩＰ（internet protocol）アドレスを割り当てて制御している。また、コントローラ１１０は、通信インターフェース１２３を介して、データサーバ１０と通信することができる。データサーバ１０は、記憶装置１５２（例えばＨＤＤ）を備えている。
【００２７】
さらに、上記コントローラ１１０は、ＨＤＭＩインターフェース１２９を介してＨＤＭＩ端子１２８と接続されている。これにより、コントローラ１１０は、ＨＤＭＩ端子１２８に接続されたＨＤＭＩ対応機器と、ＨＤＭＩインターフェース１２９を介して情報伝送を行なうことができる。
【００２８】
そして、上記コントローラ１１０は、ＵＳＢインターフェース１２５を介してＵＳＢ端子１２４と接続されている。これにより、コントローラ１１０は、ＵＳＢ端子１２４に接続されたＵＳＢ対応機器と、ＵＳＢインターフェース１２５を介して情報伝送を行なうことができる。
【００２９】
さらに、上記コントローラ１１０は、ｉＬＩＮＫインターフェース１２７を介してｉＬＩＮＫ端子１２６と接続されている。これにより、コントローラ１１０は、ｉＬＩＮＫ端子１２６に接続されたｉＬＩＮＫ対応機器と、ｉＬＩＮＫインターフェース１２７を介して情報伝送を行なうことができる。
【００３０】
さらに、上記コントローラ１１０は、明るさセンサー１２１からの明るさ検出信号を受信するように構成されている。これにより、コントローラ１１０は、明るさ検出信号に基づき、映像及びバックライトの明るさ等を制御することができる。
【００３１】
さらに、上記コントローラ１１０は、チューナー部１０３により選局されデスクランブルされた放送信号を、記録部１５１またはＬＡＮ端子１２２もしくはＵＳＢ端子１２４を介して接続された外部記憶装置（ＨＤＤなど）へ録画するための録画動作を制御することもできる。上記したように、チューナー部１０３は、複数のチューナー１０３１〜１０３８を備えているので、電子機器１Ａは、同時に、複数チャンネルの番組を録画したり、複数チャンネルの番組を表示したりすることができる。また、電子機器１Ａは、スクランブル放送を認証する機能も備えている。
【００３２】
電子機器１Ａは、例えば、全チャンネル（または指定された複数チャンネル）で放送される１月分の全ての番組（あるいは、１月分の指定された時間帯の番組）を、ハイビジョンレベルの画質で記録することが可能である。このような記録をタイムシフト録画と称する。タイムシフト録画を行えば、ユーザは、例えば、過去１か月間に複数チャンネルで放送された全ての番組を後から再生して視聴することが可能である。
【００３３】
図２は、タイムシフト録画をしている電子機器１Ａの記録部１５１に記録された録画番組を一覧にした録画番組リスト２である。録画番組リスト２では、１月１６日の２０：００から２月１７日の６：００までに上記４つの放送局によって放送された番組１〜番組１００が、再生可能な番組としてリストアップされている。録画番組リスト２には、放送時間帯および各放送局の番組が列毎に表示され、第１行ｒ１には、タイトルが表示されている。録画番組リスト２の第１列２ａには、録画された番組の日付および放送時間帯が表示され、第２列２ｂには、○×テレビによって放送された番組が表示され、第３列２ｃには、△×テレビによって放送された番組が表示され、第４列２ｄには、○△テレビによって放送された番組が表示され、第５列２ｅには、○○テレビによって放送された番組が表示されている。例えば、第２列２ｂに表示された番組７は、○×テレビによって１月１６日の２２：００〜２３：００に放送された番組である。
【００３４】
上記のタイムシフト録画を継続して行う場合（下記番組記録手段２２０が番組の記録を継続して行う場合）、例えば、記録部１５１の空き容量が規定量未満（例えば、全容量の１割未満）になると、電子機器１Ａは、記録された録画番組の消去を行う。コントローラ１１０は、記録部１５１に記録された録画番組のデータを消去する番組消去手段２１０を備えている。また、コントローラ１１０は、記録部１５１において番組消去手段２１０により番組が消去された領域に新たな番組を記録する番組記録手段２２０を備えている。番組記録手段２２０は、所定の時間帯および所定の時間帯以外の両方の時間帯の新たな番組を記録する。また、コントローラ１１０は、録画番組を消去するか否かの判断基準となる放送時間帯を算出する算出部３００を更に備えている。
【００３５】
以上が、実施形態に係る電子機器１Ａに適用される構成の説明である。続いて、実施形態に係る電子機器１Ａが記録部１５１に記録された録画番組を処理する動作について説明する。
【００３６】
第１の実施形態において、電子機器１Ａは、タイムシフト録画を行っており、番組記録手段２２０は、複数チャンネルの番組を記録部１５１に継続的に記録し続けている。  
電子機器１Ａは、タイムシフト録画を継続して行っているため、上述したとおり、記録部１５１に記録された録画番組は、記録部１５１の記録容量の残量が規定量未満となった時点で消去される必要がある。録画番組を消去する場合、単純に記録日時の古い録画番組を消去してしまうと、ユーザが視聴する可能性の高い録画番組を未視聴のまま消去してしまう可能性がある。そのため、番組消去手段２１０は、算出部３００が算出した時間帯と録画番組の放送時間帯とを比較して、記録された各録画番組を消去するか否か判断する。
【００３７】
以下、番組消去手段２１０および番組記録手段２２０の動作の説明に先立ち、算出部３００が、録画番組を消去するか否かの判断基準である時間帯を算出する仕方について説明する。  
算出部３００は、１日を複数の時間帯に分割し、各時間帯に放送された録画番組の再生回数をカウントし、前記再生回数が所定の閾値よりも多い時間帯を算出する。即ち、算出部３００が算出する時間帯とは、番組記録手段が記録した時間帯の内、再生される番組の割合が、より高い番組が記録された時間帯である。例えば、図２に示した録画番組リスト２のうち、番組５が再生されたとすると、算出部３００は、２１：００〜２２：００の時間帯に録画番組の再生実績が１回あったとカウントする。また、図２に示した録画番組リスト２のうち、番組１３が再生されたとすると、００：００〜０１：００および０１：００〜０２：００の時間帯それぞれに、録画番組の再生実績が１回ずつあったとカウントする。
【００３８】
図３のグラフは、１日を１時間毎の時間帯に分割し、各時間帯における録画番組の再生回数を表したヒストグラムである。図３に示したヒストグラムでは、０２：００〜０３：００および２０：００〜２１：００の時間帯における録画番組の再生回数が、予め決められた閾値を超えている。上記図３のヒストグラムの例では、０２：００〜０３：００および２０：００〜２１：００の２つの時間帯が、算出部３００による算出結果として得られる。
【００３９】
なお、上記の説明では、１日を１時間毎の時間帯に区切ったが、時間帯の幅は適宜調節することができる。例えば、時間帯の幅は、１５分または３０分であってもよく、それ以外の幅であってもよい。また、上記の説明では、予め決められた閾値を超える２つの時間帯が算出結果として得られた。しかしながら、算出部３００は、閾値を前もって定めずに、最も再生回数が多い１つの時間帯のみを選んで算出するようにしてもよい。あるいは、算出部３００は、再生回数が多い複数の時間帯のみを選んで算出するようにしてもよい。また、算出部３００は、番組記録手段２２０が記録した時間帯の内、番組の再生される頻度がより高い番組が記録された時間帯を、録画番組を消去するか否かの判断基準となる時間帯として算出してもよい。換言すると、算出部３００は、時間帯毎に番組の再生回数をカウントするのではなく、記録された番組毎に再生回数をカウントする。そして、算出部３００は、再生回数が所定の閾値をこえた録画番組が放送された時間帯を、録画番組を消去するか否かの判断基準となる時間帯として算出する。
【００４０】
以上が、算出部３００が、録画番組を消去するか否かの判断基準となる時間帯を算出する仕方についての説明である。次に、番組消去手段２１０および番組記録手段２２０が記録部１５１に記録された録画番組を処理する動作について説明する。
【００４１】
上記のとおり、番組消去手段２１０は、算出部３００が算出した時間帯と録画番組の放送時間帯とを比較して、記録された各録画番組を消去するか否か判断する。
【００４２】
従って、記録部１５１に記録された録画番組のそれぞれは、消去するか否か判断されていない録画番組からなる第１録画番組群および消去するか否か判断された（即ち、消去されなかった）録画番組からなる第２録画番組群のどちらかに属していることになる。第１録画番組群および第２録画番組群は、例えば、ＨＤＤの１つのパーティション内に記録されてもよく、ＨＤＤの２つのパーティションに別々に記録されてもよい。
【００４３】
以下、第１録画番組群および第２録画番組群は、それぞれ、データ容量の上限が定まっているとして説明する。即ち、第１録画番組群に属する録画番組のデータの合計量および第２録画番組群に属する録画番組のデータの合計量は、それぞれ、上記上限を超えることができない場合を説明する。
【００４４】
タイムシフト録画を継続して、第１録画番組群に分類される録画番組のデータの合計量が上記上限を超える場合、番組消去手段２１０は、第１録画番組群に含まれる番組のうち、最も記録日時の古い録画番組（以下、消去候補番組とする）から順に、番組を消去するか否か判断する。換言すると、番組消去手段２１０は、第１録画番組群に含まれる番組のうち、より過去に記録された番組から順に、番組を消去するか否か判断する。具体的には、消去候補番組が、算出部３００によって算出された時間帯に放送されていない場合、番組処理手段２１０が消去候補番組を消去して、記録部１５１において消去候補番組が消去された領域に、番組記録手段２２０が新たな番組を記録する。消去候補番組が、算出部３００によって算出された時間帯に放送されている場合、消去候補番組は消去されない。即ち、消去候補番組を消去するのを後回しにする（または遅らせる）。
【００４５】
消去しないことが決定した消去候補番組は、第１録画番組群に含まれず第２録画番組群に含まれると判断される。消去候補番組は、第１録画番組群から抽出されるため、第２録画番組群に含まれるに至った消去候補番組は、番組消去手段２１０による消去が、遅れる。消去候補番組が記録部１５１から消去されなかったとしても、消去候補番組のデータ量の分だけ、第１録画番組群のデータ空容量の残量は増大し、第２録画番組群のデータ空容量の残量は減少する。消去候補番組が消去された場合、消去候補番組のデータ量の分だけ、第１録画番組群のデータ空容量の残量は増大し、第２録画番組群のデータ空容量の残量は変わらない。従って、消去候補番組が消去された場合、記録部１５１のデータ空容量の残量は増大する。番組記録手段２２０は、データ空き容量の残量が増大した結果、番組消去手段２１０により番組が消去された領域に、番組記録手段２２０が新たな番組を記録することができる。
【００４６】
第２録画番組群に含まれる録画番組のデータの合計量が上記上限を超える場合（つまり、第１録画番組群に含まれる消去候補番組を消去しない決定を下し、且つ、第２録画番組群に含まれる録画番組のデータの合計量が上記上限に達している場合）、第２録画番組群に含まれる録画番組は、記録日時が最も古い録画番組から順に（または、より過去に記録された番組から順に）消去される。この場合、第２録画番組群のデータ空容量の残量は、消去候補番組のデータ量の分が減少し、消去した録画番組のデータ量の分が増大する。番組記録手段２２０は、データ空き容量の残量が増大した結果、番組消去手段２１０により番組が消去された領域に新たな番組を記録することができる。なお、消去する録画番組の数は、消去候補番組が第１録画番組群に含まれず第２録画番組群に含まれるように変化しても、第２録画番組群に含まれる録画番組のデータの合計量が定められた上限を超えないように調整される。  
上記のとおり、番組消去手段２１０は、所定の時間帯に記録した番組を、所定の時間帯以外に放送された最も先に記録した番組よりも遅く消去する。
【００４７】
以下、第１録画番組群および第２録画番組群の双方とも、データ空き容量がない状態であり、算出部３００が算出した時間帯は２：００〜３：００および２０：００〜２１：００であると仮定し、上で説明したことを、図４、５、６および７を参照しながら、更に具体的に説明する。
【００４８】
図４および図５は、それぞれ、２月１７日６：００時点での第１録画番組群および第２録画番組群の一覧が表示された録画番組リスト３Ａおよび録画番組リスト３Ｂを示した図である。
【００４９】
図４に示した録画番組リスト３Ａでは、１月１６日２０：００から２月１７日６：００までに放送された録画番組１〜１００が表示されている。録画番組１〜１００は、消去するか否かの判断がされていない、第１録画番組群に含まれる録画番組である。図４において、斜線がひかれた録画番組は、２：００〜３：００または２０：００〜２１：００の時間帯に放送された録画番組である。即ち、斜線がひかれた録画番組は、他の時間帯に放送された録画番組よりも消去される順番が後回しになる。図５に示した録画番組リスト３Ｂでは、１月１６日２０：００以前に放送された録画番組のうち、２：００〜３：００または２０：００〜２１：００の時間帯に放送された録画番組Ｓ１〜Ｓ２０が表示されている。録画番組Ｓ１〜Ｓ２０は、消去しないことが番組消去手段２１０によって一度判断された、第２録画番組に含まれる録画番組である。
【００５０】
なお、上で説明したとおり、第１録画番組群に分類される番組のうち、最も記録日時の古い番組から順に、番組を消去するか否か決定するため、第２録画番組群に含まれる最も新しい番組の記録日時（１月１６日２：００〜３：００）は、第１録画番組群に分類される最も古い番組の記録日時（１月１６日２０：００〜２１：００）より古い。
【００５１】
電子機器１Ａは、この状態からタイムシフト録画を継続し、２月１７日６：００から２月１７日１３：００までに放送された番組１０１〜１２０を、記録部１５１に更に記録するとする。この場合、電子機器１Ａは、２月１７日６：００以降のタイムシフト録画を継続するため、第１録画番組群に含まれる記録日時が最も古い録画番組（即ち、番組１）から順に消去するか否か判断する。上で説明したとおり、番組１〜番組４は、２０：００〜２１：００（算出部３００が算出した時間帯）に放送された番組であり、番組消去手段２１０によって消去されずに第２録画番組群へ含まれるようになる番組である。このように消去候補番組を消去しない場合、２月１７日６：００以降に放送される番組を記録部１５１に記録するために、番組消去手段２１０は、第２録画番組群に含まれる、例えば番組Ｓ１〜番組Ｓ４を消去して第２録画番組群のデータ空き容量の残量を増やす。番組記録手段２２０は、データ空き容量の残量が増大した結果、番組消去手段２１０により番組が消去された領域に新たな番組を記録することができる。番組消去手段２１０によって消去しないことが判断された番組１〜番組４は、第１録画番組群に含まれず第２録画番組群に含まれる。
【００５２】
電子機器１Ａがタイムシフト録画を更に継続するためには、続いて、番組５および番組６について消去するか否か判断する。番組５および番組６の放送時間帯は、それぞれ、２１：００〜２２：００および２１：００〜２３：００なので、番組消去手段２１０は、番組５および番組６の分類を第１録画番組群から第２録画番組群へ変更せずに、番組５および番組６を消去する。タイムシフト録画を継続するために、番組消去手段２１０は、番組７以降の録画番組についても、順次、消去するか否か判断する。
【００５３】
図６および図７は、それぞれ、２月１７日１３：００時点での第１録画番組群および第２録画番組群の一覧が表示された録画番組リスト４Ａおよび録画番組リスト４Ｂを示した図である。
【００５４】
図６の録画番組リスト４Ａは、図４の録画番組リスト３Ａと異なり、番組１〜番組１８が第１録画番組群に含まれず、新しく番組１０１〜番組１２０が第１録画番組群に含まれている。即ち、２月１７日６：００の時点から番組１０１〜１２０を更に記録するため、番組消去手段２１０が第１録画番組群に含まれていた番組１〜番組１８を、消去するか否か既に判断した。
【００５５】
図７の録画番組リスト４Ｂは、図５の録画番組リスト３Ａと異なり、番組Ｓ１〜Ｓ８が消去され、新しく番組１〜番組４および番組１５〜番組１８が第２録画番組群に含まれている。即ち、新たに、番組１０１〜番組１２０を記録するために、番組消去手段２１０が第２録画番組群に含まれていた番組Ｓ１〜番組Ｓ８を消去して、番組１〜番組４および番組１５〜番組１８を消去しない判断をした結果、番組１〜番組４および番組１５〜番組１８は第１録画番組群に含まれず第２録画番組群含まれている。
【００５６】
上で説明したことを、図８に示したフローチャートを参照しながら再度説明する。番組消去手段２１０は、タイムシフト録画を継続するために、第１録画番組群に含まれる最も古い録画番組を抽出する（処理[０１]）。続いて、番組消去手段２１０は、抽出した録画番組が予め決定した時間帯に放送された番組であるか否かを判断する（[０２]）。番組消去手段２１０は、抽出した録画番組が予め決定した時間帯に放送された番組であるならば（[０２−ＹＥＳ]）、第２録画番組群に含まれる一番古い録画番組を消去する（[０３]）。番組消去手段２１０は、抽出した録画番組が予め決定した時間帯に放送された番組でないならば（[０２−ＮＯ]）、抽出した録画番組を消去する（[０４]）。
【００５７】
上で説明したとおり、第１の実施形態に係る電子機器１Ａは、優先的に保存したい（または消去を後回しにしたい）録画番組を選別する基準となる時間帯を、算出部３００によって算出する。算出部３００によって決定した時間帯に放送された録画番組は、再生した実績がなくても、他の時間帯に放送された録画番組と比較して消去される順番が後回しになる。従って、ユーザが頻繁に視聴する時間帯に放送されかつ未視聴である録画番組が、再生されないまま消去される可能性が低くなる。また、ユーザが毎日（または毎週）同じ時間帯に放送される特定の番組を視聴する場合、上記番組と同じ時間帯に放送される他の番組も視聴したいが視聴できていない可能性が高い。本実施形態に係る電子機器１Ａによれば、上記同じ時間帯に放送される他の番組が未視聴のまま消去されることを防ぐことができる。換言すると、実施形態に係る電子機器１Ａによれば、再生されていない番組であってもユーザが再生する可能性が高い番組は、再生される可能性が低い番組と比較して消去される順序が後回しになる。
【００５８】
（第２の実施形態）  
図９は、第２の実施形態に係る電子機器１Ｂの構成を示す図である。第２の実施形態に係る電子機器１Ｂは、コントローラ１１０が算出部３００を有さないこと以外は、第１の実施形態に係る電子機器１Ａと同じ構成である。電子機器１Ｂでは、算出部３００が録画番組を消去するか否かの判断基準となる時間帯を算出する代わりに、ユーザが優先的に保存したい（または消去する順番を後回しにしたい）番組の時間帯を、例えば、リモコンなどの操作によって不揮発性メモリ１１０３に登録しておく。番組消去手段２１０は、録画番組を消去するか否か判断する際に、算出部３００が算出した時間帯ではなく、ユーザがリモコンなどによって不揮発性メモリ１１０３に登録した時間帯を判断基準とする。
【００５９】
第２の実施形態に係る電子機器１Ｂも、第１の実施形態に係る電子機器１Ａと同様の効果を有する。即ち、実施形態に係る電子機器１Ｂによれば、再生されていない番組であってもユーザが再生する可能性が高い番組は、再生される可能性が低い番組と比較して消去される順序が後回しになる。
【００６０】
本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００６１】
例えば、番組消去手段２１０は、第１録画番組群および第２録画番組群のデータ空き容量が少なくなった場合ではなく、代わりに、例えば、特定の曜日または特定の時刻に基づいて、録画番組の消去を定期的におこなってもよい。
【００６２】
また、上で説明した各実施形態において、第１録画番組群および第２録画番組群は、それぞれ、データ容量の上限が定まっているとした。しかしながら、第１録画番組群および第２録画番組群は、それぞれ、データ容量の上限が可変であってもよい。  
第１録画番組群および第２録画番組群のデータ容量の上限が可変である場合、番組消去手段２１０は、消去するか否か判断する録画番組が予め決定した時間帯に放送された番組であっても、第２録画番組群に含まれる一番古い録画番組を消去する必要がない。例えば、予め記録部１５１の記録容量の８割しか番組録画に使用していない場合、番組消去手段２１０は、第２録画番組群のデータ容量の上限を引き上げ、第２録画番組群に含まれる一番古い録画番組を消去しない判断をしてもよい。または、番組消去手段２１０は、第２録画番組群のデータ容量の上限を引き上げ且つ第１録画番組群のデータ容量の上限を引き下げることによって、第２録画番組群に含まれる一番古い録画番組を消去しない判断をしてもよい。換言すると、番組消去手段２１０は、第１録画番組群に含まれる消去候補番組を消去しない決定を下した場合であっても、第２録画番組群に含まれる記録日時が最も古い録画番組を消去しない。
【００６３】
番組消去手段２１０が、第１録画番組群に含まれる消去候補番組を消去せず、且つ第２録画番組群に含まれる記録日時が最も古い録画番組を消去しない場合、所定の時間帯に放送された録画番組は、より長期にわたって保存される（またはより長期にわたって消去が後回しにされる）。番組消去手段２１０は、例えば、所定の時間帯に放送された番組を任意の期間（例えば、所定の時間帯以外に放送された番組の１．５倍または２倍以上の期間）だけ保存できるように、第２録画番組群のデータ容量の上限を引き上げてもよい。なお、番組消去手段２１０が、第１録画番組群のデータ容量の上限を引き下げる場合、例えば、番組消去手段２１０は、第１録画番組群に含まれる一番古い録画番組の次に古い録画番組を消去してもよい。
【００６４】
また、番組消去手段２１０は、所定の時間帯に記録した番組を、所定の時間帯以外に放送された最も先に記録した番組よりも遅く、所定の時間帯以外に放送された後で記録した番組よりも早く消去をするようにしてもよい。こうすると、所定の時間帯に放送された録画番組は、ある時点で必ず消去され、第２録画番組群のデータ容量の上限を引き上げ続ける必要がなくなる。
【００６５】
また、算出部３００は、消去するか否かの基準となる時間帯を曜日毎に算出してもよい。その場合、各曜日の時間帯毎に録画番組の再生回数（頻度）をカウントする。
【００６６】
また、算出部３００が消去するか否かの基準となる時間帯を算出する場合、放送中の番組の視聴の有無も録画番組の再生回数としてカウントしてもよい。
【００６７】
更にまた、算出部３００が消去するか否かの基準となる時間帯を算出する場合、録画番組の再生回数をカウントする代わりに、例えば、インターネット上のＳＮＳサイトから録画番組に関するコメントを検索し、当該録画番組に関するコメント数をカウントしてもよい。
【符号の説明】
【００６８】
１Ａ、１Ｂ…電子機器、１０…データサーバ、１０１…アンテナ、１０２…入力端子、１０３…チューナー部、１０４〜１０７…外部入力端子、１０８…信号処理部、１１０…コントローラ、１１１…ＯＳＤ信号生成部、１１２…グラフィック処理部、１１３…映像処理部、１１４…音声処理部、１１５…操作部、１１７…受信部、１１９…カードホルダ、１２０…カードインターフェース、１２１…明るさセンサー、１２２…ＬＡＮ端子、１２３…通信インターフェース、１２４…ＵＳＢ端子、１２５…ＵＳＢインターフェース、１２６…ｉＬＩＮＫ端子、１２７…ｉＬＩＮＫインターフェース、１２８…ＨＤＭＩ端子、１２９…ＨＤＭＩインターフェース、１４１…映像表示部、１４２…スピーカ、１５１、１５２…記録部、２１０…番組処理手段、２２０…番組記録手段、３００…算出部、２、３Ａ、３Ｂ、４Ａ、４Ｂ…録画番組リスト、２ａ、３ａ…第１列、２ｂ、３ｂ…第２列、２ｃ、３ｃ…第３列、２ｄ…第４列、２ｅ…第５列、ｒ１…第１行
【図１】
2016038922.tif 000003
【図２】
2016038922.tif 000004
【図３】
2016038922.tif 000005
【図４】
2016038922.tif 000006
【図５】
2016038922.tif 000007
【図６】
2016038922.tif 000008
【図７】
2016038922.tif 000009
【図８】
2016038922.tif 000010
【図９】
2016038922.tif 000011